(57)【要約】【課題】ＨＤ映像に対する各種記録形式が採用されている状況において、ユーザの使用環境に合わせた使い勝手の良いビデオカメラ装置を提供すること。【解決手段】撮像部１１で撮影した高精細（ＨＤ）モードの映像信号を、Ｈ．２６４形式の映像データに符号化してＨＤＤ２１に記録する。復号化部３２及び符号化部３４は、ＨＤＤ２１から再生した映像データをＭＰＥＧ２形式の映像データにトランスコード処理するとともに、解像度変換部３３は標準（ＳＤ）モードの映像データに解像度変換する。変換後のデータを光ディスク（ＤＶＤ）２２にダビング記録する。【選択図】図２
2009027257.tif 000002
【特許請求の範囲】
【請求項１】
撮像部で撮影した映像信号をハードディスク媒体と光ディスク媒体に記録可能なビデオカメラ装置において、
映像信号を所定の符号化方式にて符号化・復号化処理を行う符号化／復号化処理部と、
映像信号の解像度を変換する解像度変換部と、
上記ハードディスク媒体と上記光ディスク媒体に映像信号を記録／再生する記録再生部と、
上記符号化／復号化処理部、上記解像度変換部及び上記記録再生部を制御する制御部とを備え、
該制御部は、上記撮像部で撮影した高精細モードの映像信号を第１の符号化方式の映像データに符号化して上記ハードディスク媒体に記録し、
該ハードディスク媒体から再生した上記第１の符号化方式の映像データを第２の符号化方式の映像データにトランスコード処理するとともに、標準モードの映像データに解像度変換して上記光ディスク媒体にダビング記録することを特徴とするビデオカメラ装置。
【請求項２】
請求項１に記載のビデオカメラ装置において、
前記光ディスク媒体はＤＶＤであり、前記第１の符号化方式はＨ．２６４形式であり、前記第２の符号化方式はＭＰＥＧ２形式であることを特徴とするビデオカメラ装置。
【請求項３】
請求項１に記載のビデオカメラ装置において、
前記制御部は、前記光ディスク媒体の種類に応じて、前記トランスコード処理と前記解像度変換を実行するか否かを判定することを特徴とするビデオカメラ装置。
【請求項４】
請求項３に記載のビデオカメラ装置において、
前記制御部は、前記光ディスク媒体の種類を判別して、前記トランスコード処理と前記解像度変換を実行するか否かを判定することを特徴とするビデオカメラ装置。
【請求項５】
請求項３に記載のビデオカメラ装置において、
映像を表示する表示部を備え、
該表示部には、ユーザがダビング先の光ディスク媒体とダビング画質を設定するための画面を表示することを特徴とするビデオカメラ装置。
【発明の詳細な説明】
【技術分野】
【０００１】
本発明は、撮影した映像をハードディスクや光ディスク媒体等に記録するビデオカメラ装置に関する。
【背景技術】
【０００２】
昨今の民生用ビデオカメラは、上書きの心配がないことや映像検索の容易さなどの理由から、搭載する記録媒体はディスク媒体へ移行してきている。ディスク媒体としては、ＤＶＤなどの光ディスクやハードディスク（ＨＤＤ）が用いられ、また半導体メモリを搭載する製品も登場してきている。さらにカメラの長時間記録と高画質化のため、記録媒体の大容量化と高画質記録方式が進められている。
【０００３】
大容量光ディスクとして、ＢＤＡ（Ｂｌｕ−ｒａｙ  Ｄｉｓｃ  Ａｓｓｏｃｉａｔｉｏｎ）で策定された次世代光ディスクＢＤ（Ｂｌｕ−ｒａｙ  Ｄｉｓｃ）や、ＤＶＤフォーラムで規定されているＨＤ−ＤＶＤが登場し、これらには、従来の標準（ＳＤ：Ｓｔａｎｄａｒｄ  Ｄｅｆｉｎｉｔｉｏｎ）モードの映像だけでなく、高精細（ＨＤ：Ｈｉｇｈ  Ｄｅｆｉｎｉｔｉｏｎ）モードの映像をそのまま記録することができる。
【０００４】
また、従来のＤＶＤにはＨＤ映像を直接記録することができなかったが、新たな符号化方式を取り入れたＡＶＣＨＤ（Ａｄｖａｎｃｅｄ  Ｖｉｄｅｏ  Ｃｏｄｅｃ  Ｈｉｇｈ  Ｄｅｆｉｎｉｔｉｏｎ）規格が発表され、従来のＤＶＤにＨＤ映像を記録することが可能となっている。例えば特許文献１には、ＡＶＣ／Ｈ．２６４符号化方式に準拠するコーデックＩＣの構成が開示される。
【０００５】
一方、ＨＤＤ／ＤＶＤレコーダ等の据え置き機器では、ＨＤＤからＤＶＤへのダビング機能を有している。例えば特許文献２には、ダビング時に放送番組中のＣＭカットを行う技術が開示される。据え置き機器のダビング機能を利用することで、ＭＰＥＧ２＿ＴＳモードで放送されたＨＤ映像をＨＤＤに記録し、ＭＰＥＧ２＿ＰＳモード及びＳＤ映像のレート（解像度）に変換してＤＶＤへダビングすることで、ＤＶＤに保存することができる。
【０００６】
【特許文献１】特開２００５−２２９３３１号公報
【特許文献２】特開２００６−３３９７３０号公報
【発明の開示】
【発明が解決しようとする課題】
【０００７】
ビデオカメラ等のモバイル機器では、ＨＤ映像をＭＰＥＧ２＿ＴＳモードの他に、Ｈ．２６４形式やＡＶＣＨＤ形式で記録する場合がある。Ｈ．２６４形式は圧縮率が高くＨＤ画像の保存には適しているが、上記したように、そのままの形式では記録媒体がＢＤやＨＤ−ＤＶＤに限定される。ＢＤやＨＤ−ＤＶＤディスクは、従来のＤＶＤディスクよりも高価であるため、普及するまでの期間は安価なＤＶＤにも保存できることが望ましい。また、ＡＶＣＨＤ方式によればＨＤ映像をそのままＤＶＤに残せるが、これを再生するためには、当然ＡＶＣＨＤ方式を採用した再生機器でなければならない。
【０００８】
一方、ＨＤＤと光ディスクドライブを備えるハイブリッド装置では、ＨＤ映像をＨＤＤにＨ．２６４形式で記録し、その映像を光ディスクへダビングして保存できるが、ダビング先のディスクはＢＤやＨＤ−ＤＶＤに限られてしまう。すなわち、Ｈ．２６４形式の記録に対応していない従来のＤＶＤには保存できない。その結果、ダビングした光ディスクを配布するような場合、配布先の再生環境の制約を受け、非常に使い勝手が悪い。
【０００９】
本発明の目的は、上記課題に鑑み、ＨＤ映像に対する各種記録形式が採用されている状況において、ユーザの使用環境に合わせた使い勝手の良いビデオカメラ装置を提供することにある。
【課題を解決するための手段】
【００１０】
本発明は、撮像部で撮影した映像信号をハードディスク媒体と光ディスク媒体に記録可能なビデオカメラ装置であって、映像信号を所定の符号化方式にて符号化・復号化処理を行う符号化／復号化処理部と、映像信号の解像度を変換する解像度変換部と、ハードディスク媒体と光ディスク媒体に映像信号を記録／再生する記録再生部と、符号化／復号化処理部、解像度変換部及び記録再生部を制御する制御部とを備える。制御部は、撮像部で撮影した高精細モードの映像信号を第１の符号化方式の映像データに符号化してハードディスク媒体に記録し、ハードディスク媒体から再生した第１の符号化方式の映像データを第２の符号化方式の映像データにトランスコード処理するとともに、標準モードの映像データに解像度変換して光ディスク媒体にダビング記録する。
【発明の効果】
【００１１】
本発明によれば、ユーザは、撮影した映像を保存する媒体及び形式を多岐に渡り選択することができるので、使い勝手が向上する。
【発明を実施するための最良の形態】
【００１２】
以下、図面を参照して本発明の実施形態について説明する。
図１は、本発明によるビデオカメラ装置の一実施例を示すブロック図である。
撮像部１１は、被写体を撮影する光学レンズとこれを電気信号に変換するＣＣＤセンサもしくはＣＭＯＳセンサを有する。映像処理部１２は撮像部１１からの信号をデジタル信号に変換し、画像情報を映像信号に変換する。また、図示しないマイクにより集音した音声についても音声デジタル信号に変換する。
【００１３】
システム制御部１３は装置全体の制御を行うとともに、符号化／復号化処理部１４を含み、映像信号や音声信号を所定の符号化方式に従って符号化（エンコード）／復号化（デコード）と符号化方式変換（トランスコード）を行う。また、映像信号と音声信号の分離／多重化処理や解像度変換（スケーリング）などの処理を行う。内部メモリ１５は、符号化／復号化処理した映像データや音声データを一時的に格納する。ここで、システム制御部１３や符号化／復号化処理部１４の各機能は、好ましくはマイクロプロセッサでプログラムを実行することにより実現できるが、それらの一部又は全部をハードウェアで構成してもよい。
【００１４】
ユーザが操作する操作部１６には、録画／再生キーや、記録モードやダビングモードの選択キーなどを含む。表示画面作成部１７は、表示部１８にて表示する映像信号を出力するとともに、ユーザに対して処理の選択と設定のための画面を提供する。表示部１８は映像を表示するが、ファインダ内の表示部と、ビデオカメラの筐体の外側に設けられた可動式の表示部とに分けてもよい。
【００１５】
記録再生部２０は、ハードディスク（ＨＤＤ）２１、光ディスク（ＢＤやＤＶＤ等）２２と、及びメモリカード（ＳＤカードやメモリスティックなど）２３を装着し、これらの媒体に、映像・音声のデータを所定のファイル形式で記録再生する。
【００１６】
このように本実施例のビデオカメラ装置は、複数の記録媒体を装着可能であり、ＨＤモードで撮影した映像を、ＨＤＤ２１やＢＤなどの光ディスク２２に直接記録できる。また、ＨＤＤ２１に記録したＨＤモードの映像を、ＢＤにＨＤ映像のままダビングすることができる。さらに、符号化／復号化処理部１４によるトランスコード機能を用いることで、ＨＤＤ２１に記録したＨＤモードの映像を、記録形式を変換して従来のＤＶＤへダビングして保存することができる。これにより、ユーザの使用状況に合わせたＨＤ映像の記録とダビングができるようになる。
【００１７】
すなわち、従来のＤＶＤではＨＤモードの映像をそのまま扱うことはできないので（ＡＶＣＨＤは例外）、ＨＤ映像をＨＤＤに記録した後、符号化／復号化処理部１４においてＤＶＤ用の記録形式（符号化方式及びＳＤモードの解像度）へ変換することで、ＤＶＤへのダビングを可能とする（以下、トランスコードダビングと称する）。
【００１８】
トランスコードダビングの一例として、ＨＤ映像をＨ．２６４形式でＨＤＤに記録し、記録形式をＭＰＥＧ２形式に変換するとともに解像度（レート）をＳＤモードに変換することで、ＤＶＤにダビングすることができる。
【００１９】
図２は、トランスコードダビングを実行するシステム制御部１３の内部構成を示すブロック図である。ここでは、ＨＤＤ２１に記録されているＨＤモードの映像信号をＤＶＤ２２へトランスコードダビングする場合の動作を説明する。
【００２０】
ＨＤＤ２１には、撮像部１１からのＨＤモードの映像データが符号化（Ｈ．２６４形式）され、音声データと多重化されてストリームデータとして記録されている。信号分離部（ＤＥＭＵＸ）３１は、ストリームデータを映像データと音声データに分離する。音声用内部メモリ１５ｂは、分離された音声データを格納する。復号化部（デコーダ）３２は、分離された映像データを復号化する。
【００２１】
解像度変換部（スケーラ）３３は、復号化されたＨＤモードの映像データの解像度（レート）をＤＶＤ２２に適した値（ＳＤモード）に変換する。例えば、レートを３８４Ｋｂｐｓから２５６Ｋｂｐｓに変換する。映像用内部メモリ１５ａは、解像度変換された映像データを格納する。符号化部（エンコーダ）３４は、映像用内部メモリ１５ａに格納された映像データを、ＤＶＤに適した記録形式（ＭＰＥＧ２形式）にて符号化（トランスコード）する。多重化部（ＭＵＸ）３５は、符号化された映像データと音声用内部メモリ１５ｂに格納されている音声データとを多重化し、ストリームデータとしてＤＶＤ２２に記録（ダビング）する。
【００２２】
図３は、ダビング処理の手順を示すフローチャートである。ユーザがダビングボタンを押下して処理開始を指示すると（Ｓ１００）、表示部１８には各種ダビング条件の設定画面を表示し、ユーザが選択操作を行う（Ｓ１０１、Ｓ１０２）。ここで各種設定の表示画面の例を図６〜図１０で説明する。
【００２３】
図６は「ダビングメニュー」であり、ＨＤＤに記録されているダビング対象シーンを４種類のモードから選択する。「はじめて」は、未ダビングのシーンだけを自動的に探してダビングする場合で、「まるごと」は全てのシーンをダビングする場合である。「ひにちで」は一日分だけを自動的に探してダビングする場合で、「えらんで」は好きなシーンだけを選んでダビングする場合である。
【００２４】
図７は「ディスク設定」であり、ダビング先となるディスクを設定する。ここでは光ディスクドライブに装着したディスクがＢＤであるかＤＶＤであるかを指定する。
【００２５】
図８は「画質設定」であり、ダビング時の画質を選択する。例えばダビング先がＤＶＤの場合、ダビング画質としてＳＸ（高画質）またはＳＦ（標準画質）を選択する。
【００２６】
図９は「自動分割設定」であり、ダビング時にシーンを自動分割する設定を選択する。自動分割によりシーンを分割して複数のディスクに保存し、各ディスクの容量が一杯になるまで記録することができる。
【００２７】
図１０は「確認画面」であり、上記で選択・設定したダビング条件を表示し、ユーザはこれを確認してダビングを実行する。
【００２８】
ダビング条件の各種設定を行うと、トランスコードの要否を判定する（Ｓ１０３）。すなわち、ダビング元とダビング先とで映像データの符号化方式や解像度が異なる場合、トランスコードや解像度の変換が必要になる。例えばダビング元がＨ．２６４形式のＨＤ映像データの場合、ダビング先がＤＶＤであればトランスコードが必要である。ダビング先がＢＤであればそのままダビングができるので、トランスコードは不要である。
【００２９】
Ｓ１０３の判定の結果トランスコードが必要な場合には、ダビング元から対象となるダビングシーンを再生し（Ｓ１０４）、データのトランスコード処理（デコード、解像度変換、エンコード）を行い（Ｓ１０５）、ダビング先のディスクにダビング記録する（Ｓ１０６）。ダビング元に次のダビングシーンが残っていれば、それを再生しトランスコードを繰り返す（Ｓ１０７）。Ｓ１０３の判定の結果トランスコードが不要な場合には、ダビング元のデータをそのまま高速にダビング記録する（Ｓ１０８）。
【００３０】
図４は、図３のダビング処理の中で、トランスコード処理（Ｓ１０４〜Ｓ１０６）の手順を詳細に示すフローチャートである。ここでは、Ｈ．２６４形式で符号化されている映像データをＭＰＥＧ２形式に変換し、かつＨＤモードからＳＤモードに変換する場合を説明する。
【００３１】
まず、ダビング元のＨＤＤから対象となるダビングシーンを再生する（Ｓ２０１）。信号分離部３１は、再生されたストリームデータを映像データと音声データに分離する（Ｓ２０２）。分離された音声データは音声用メモリ１５ｂに格納しておく（Ｓ２０７）。
【００３２】
分離された映像データは復号化部３２にて復号化（デコード）する（Ｓ２０３）。解像度変換部（スケーラ）３３は復号化された映像データの解像度（レート）をＨＤモードからＳＤモードへ変換を行い（Ｓ２０４）、映像用メモリ１５ａに格納する（Ｓ２０５）。符号化部３４は映像用メモリ１５ａから映像データを読み出して、ＭＰＥＧ２形式で符号化（エンコード）する（Ｓ２０６）。
【００３３】
多重化部３５は、ＭＰＥＧ２形式で符号化した映像データと音声用メモリ１５ｂから読み出した音声データを多重化して、ストリームデータを生成する（Ｓ２０８）。ストリームデータをダビング先のＤＶＤにダビング記録する（Ｓ２０９）。
【００３４】
図５は、図３のダビング処理において、ダビング先のディスクを自動判別する場合のフローチャートを示す。図３と異なる工程を説明する。
【００３５】
ダビング元とダビングシーンを選択した後（Ｓ３０１）、ダビング先のディスクが挿入されているかを判定する（Ｓ３０２）。ディスクが挿入されていない場合は、ディスクの挿入を促す表示を行う（Ｓ３０３）。ディスクが挿入されていれば、システム制御部１３はその種類を自動判別する（Ｓ３０４）。ディスクの種類は、ディスク表面から記録面までの距離（焦点深度）を測定することなどで判別する。またディスクの管理情報により、記録形式などの情報を取得し、これらの情報に基づいて必要な処理を自動的に切り替える。判別の結果、ディスクがＤＶＤであればトランスコードが必要であり、トランスコード処理を実行する（Ｓ３０５以降）。判別の結果、ＢＤであればトランスコードが不要であり、通常のダビングを実行する（Ｓ３０８以降）
この場合、挿入されているディスクの種類を自動判別することで、ユーザの選択・設定の誤りを防止する。例えば、ＤＶＤへＨＤモードでダビングする誤動作を防止することができる。
【００３６】
以上のように本実施例によれば、ＨＤＤ上にあるＨＤモードの映像データを、ＳＤモードに変換して互換性の高いＤＶＤディスクへダビングして他人へ配布することができるので、ユーザにとって利便性が向上する。
【００３７】
上記実施例では、ＨＤＤに記録したＨＤモードの映像を、ＳＤモードに変換してＤＶＤにダビングする場合を説明したが、ＢＤに記録したＨＤモードの映像を、ＨＤＤを介してＤＶＤへダビングすることも可能である。また、ＳＤモードの映像については、ＨＤＤとＢＤ／ＤＶＤの各媒体の間でそのままダビングできることは言うまでもない。さらには、ＨＤＤ上のデータをメモリカードへダビングすることも勿論可能である。
【００３８】
このように本実施例のビデオカメラ装置においては、ＨＤＤとＢＤ／ＤＶＤの複数の記録媒体を装着可能であり、ユーザが利用する環境に合わせたデータの変換、ダビング記録の機能を備える構成としている。よってユーザは、撮影した映像を保存する媒体及び形式を多岐に渡り選択することができるので、使い勝手が向上する。
【図面の簡単な説明】
【００３９】
【図１】本発明によるビデオカメラ装置の一実施例を示すブロック図。
【図２】システム制御部１３の内部構成を示すブロック図。
【図３】ダビング処理の手順を示すフローチャート。
【図４】トランスコード処理の手順を示すフローチャート。
【図５】ダビング先のディスクを自動判別する場合のフローチャート。
【図６】「ダビングメニュー」の表示画面の一例を示す図。
【図７】「ディスク設定」の表示画面の一例を示す図。
【図８】「画質設定」の表示画面の一例を示す図。
【図９】「自動分割設定」の表示画面の一例を示す図。
【図１０】「確認画面」の表示画面の一例を示す図。
【符号の説明】
【００４０】
１１…撮像部
１２…映像処理部
１３…システム制御部
１４…符号化／復号化処理部
１５…内部メモリ
１６…操作部
１７…表示画面作成部
１８…表示部
２０…記録再生部
２１…ＨＤＤ
２２…光ディスク（ＤＶＤ／ＢＤ）
２３…メモリカード
３１…信号分離部
３２…復号化部（デコーダ）
３３…解像度変換部（スケーラ）
３４…符号化部（エンコーダ）
３５…多重化部。
【図１】
2009027257.tif 000003
【図２】
2009027257.tif 000004
【図３】
2009027257.tif 000005
【図４】
2009027257.tif 000006
【図５】
2009027257.tif 000007
【図６】
2009027257.tif 000008
【図７】
2009027257.tif 000009
【図８】
2009027257.tif 000010
【図９】
2009027257.tif 000011
【図１０】
2009027257.tif 000012